(57)【特許請求の範囲】
【請求項１】
カード挿入口に挿入されたカードに応じてカード走行路に開閉自在に設けたシャッタ板を開位置とし、前記カードをカード搬送手段により前記シャッタ板より内部に取り込み可能に構成して成るカードリーダにおいて、前記カード挿入口であって前記シャッタ板より前側に、非接触式ＩＣカードに設けたカード側送受信用アンテナ部とデータの送受信が可能なリーダ側送受信用アンテナ部を設けて、前記カードが前記カード挿入口に挿入された位置で前記カード側送受信用アンテナ部と前記リーダ側送受信用アンテナ部とのデータの送受信を行うように構成したことを特徴とするカードリーダ。
【請求項２】
前記カード挿入口に、接触式ＩＣカードに設けたＩＣ端子部と接触可能なＩＣ接点部を設けて、前記カードが前記カード挿入口に挿入された位置で前記カードの前記ＩＣ端子部と前記ＩＣ接点部とを接触させ、その位置でデータの送受信を行うように構成したことを特徴とする請求項１記載のカードリーダ。
【請求項３】
カード挿入口に挿入されたカードに応じてカード走行路に開閉自在に設けたシャッタ板を開位置とし、前記カードをカード搬送手段により前記シャッタ板より内部に取り込み可能に構成して成るカードリーダにおいて、前記カード挿入口であって前記シャッタ板より前側に、接触式ＩＣカードに設けたＩＣ端子部と接触可能なＩＣ接点部を設けて、前記カードが前記カード挿入口に挿入された位置で前記カードの前記ＩＣ端子部と前記ＩＣ接点部とを接触させ、その位置でデータの送受信を行うように構成したことを特徴とするカードリーダ。
【請求項４】
前記データの送受信の結果、前記カードの取り込みが必要な場合に、前記シャッタ板を開位置とし、前記カードを内部に取り込むことを特徴とする請求項１から３までのいずれか記載のカードリーダ。
【発明の詳細な説明】
【０００１】
【発明の属する技術分野】
本発明は、カードリーダに関する。更に詳述すると、本発明は、磁気カードと接触式ＩＣカードと非接触式ＩＣカードとの機能を備えたいわゆるハイブリッドカードに対するデータの読み取りまたは書き込みに適したカードリーダに関する。
【０００２】
【従来の技術】
磁気カードリーダやＩＣカードリーダ等でカードをモータにより内部に取り込んで処理するカードリーダでは、カード挿入部であるゲート部とカードリーダ内部のカード走行路との間に例えばソレノイドで開閉されるシャッタ板を設けるようにして、カード以外の異物が挿入されるのを阻止し、カードリーダのセキュリティを図ると共に防塵性を高めている。このようなカードリーダでは、ゲート部に磁気ストライプの有無を検出する磁気ヘッド等のセンサが設けられている。そして、カードをゲート部に挿入するとセンサにより検知され、そのカードが磁気ストライプを有しておりカードリーダにより処理すべきものである場合はシャッタ板を開いてカードリーダ内に取り込むようにしている。
【０００３】
また、近年では磁気カードと接触式ＩＣカードと非接触式ＩＣカードとの機能を備えたハイブリッドカードが開発されており、これに伴いハイブリッドカードに対してデータの読み取りまたは書き込みを行うカードリーダが開発されている。このカードリーダでは、カードの磁気ストライプとデータを送受信する磁気ヘッドと、カードのＩＣ端子部とデータを送受信するＩＣ接点部と、カードのアンテナ部とデータを送受信する送受信アンテナ部とを、シャッタ板よりも内側に有している。
【０００４】
【発明が解決しようとする課題】
しかしながら、上述したハイブリッドカード用のカードリーダではカードとデータの送受信を行うためには、送受信を行う方式に拘わらず必ずシャッタ板を開けてカードを内部に取り込まなければならないので、データの送受信処理に長時間を要してしまう。
【０００５】
また、ゲート部に設けられたカード検出用のセンサは比較的簡易な構造であるので、偽造カード等の使用により不正にシャッタ板を開けてしまうおそれがあり、カードリーダのセキュリティ性の向上が望まれている。
【０００６】
さらに、ゲート部に設けられたカード検出用のセンサは高価であるので、カードリーダ全体が高価になってしまう。
【０００７】
そこで、本発明は、データの送受信処理の時間を短縮すると共にセキュリティ性を向上する安価なカードリーダを提供することを目的とする。
【０００８】
【課題を解決するための手段】
かかる目的を達成するため、請求項１記載の発明は、カード挿入口に挿入されたカードに応じてカード走行路に開閉自在に設けたシャッタ板を開位置とし、カードをカード搬送手段によりシャッタ板より内部に取り込み可能に構成して成るカードリーダにおいて、カード挿入口であってシャッタ板より前側に、非接触式ＩＣカードに設けたカード側送受信用アンテナ部とデータの送受信が可能なリーダ側送受信用アンテナ部を設けて、カードがカード挿入口に挿入された位置でカード側送受信用アンテナ部とリーダ側送受信用アンテナ部とのデータの送受信を行うように構成している。
【０００９】
したがって、カード挿入口にカードを挿入すると、リーダ側送受信用アンテナ部からカードに対してカード検出用の信号が送られる。そして、カードが非接触式ＩＣカードであれば、カードのカード側送受信用アンテナ部とカードリーダのリーダ側送受信用アンテナ部との間でデータの送受信が行われるので、当該カードが非接触式ＩＣカードであることが検出される。一方、カードが非接触式ＩＣカードでなければ、リーダ側送受信用アンテナ部でのデータの受信が無いので、当該カードが非接触式ＩＣカードで無いことが検出される。
【００１０】
さらに、挿入されたカードが非接触式ＩＣカードであると検出されたときは、そのままデータの送受信を行うことができる。このため、シャッタ板を開放してカードを内部に取り込む必要が無い。しかも、リーダ側送受信用アンテナ部がデータを受信することにより非接触式ＩＣカードの存在を検出できるので、リーダ側送受信用アンテナ部がカード検出用のセンサを兼ねることになりカード検出専用の磁気ヘッド等の高価なセンサを設ける必要が無い。
【００１１】
また、請求項３記載の発明は、カード挿入口に挿入されたカードに応じてカード走行路に開閉自在に設けたシャッタ板を開位置とし、カードをカード搬送手段によりシャッタ板より内部に取り込み可能に構成して成るカードリーダにおいて、カード挿入口であってシャッタ板より前側に、接触式ＩＣカードに設けたＩＣ端子部と接触可能なＩＣ接点部を設けて、カードがカード挿入口に挿入された位置でカードのＩＣ端子部とＩＣ接点部とを接触させ、その位置でデータの送受信を行うように構成している。
【００１２】
したがって、カード挿入口にカードを挿入すると、ＩＣ接点部からカードに対してカード検出用の信号が送られる。そして、カードが接触式ＩＣカードであれば、カードのＩＣ端子部とカードリーダのＩＣ接点部との間でデータの送受信が行われるので、当該カードが接触式ＩＣカードであることが検出される。一方、カードが接触式ＩＣカードでなければ、ＩＣ接点部でのデータの受信が無いので、当該カードが接触式ＩＣカードで無いことが検出される。
【００１３】
さらに、挿入されたカードが接触式ＩＣカードであると検出されたときは、そのままデータの送受信を行うことができる。このため、シャッタ板を開放してカードを内部に取り込む必要が無い。しかも、ＩＣ接点部がデータを受信することにより接触式ＩＣカードの存在を検出できるので、ＩＣ接点部がカード検出用のセンサを兼ねることになりカード検出専用の磁気ヘッド等の高価なセンサを設ける必要が無い。
【００１４】
また、請求項２記載の発明では、請求項１記載のカードリーダにおいて、カード挿入口に、接触式ＩＣカードに設けたＩＣ端子部と接触可能なＩＣ接点部を設けて、カードがカード挿入口に挿入された位置でカードのＩＣ端子部とＩＣ接点部とを接触させ、その位置でデータの送受信を行うように構成している。
【００１５】
したがって、カード挿入口にカードを挿入すると、リーダ側送受信用アンテナ部及びＩＣ接点部からカードに対してカード検出用の信号が送られる。これにより、カードが非接触式ＩＣカードであるか否か、及び接触式ＩＣカードであるか否かを検出することができる。
【００１６】
また、請求項４記載のカードリーダでは、データの送受信の結果、カードの取り込みが必要な場合に、シャッタ板を開位置とし、カードを内部に取り込むようにしている。したがって、カード挿入口に挿入されたカードが非接触式ＩＣカードまたは接触式ＩＣカードであり、尚かつカードリーダとのデータの送受信の結果、磁気ストライプの処理等のためにカードの取り込みが必要であると判断されたときにのみシャッタ板を開くようにできるので、カードがＩＣを有していなければカードリーダ側でのデータの受信が無くシャッタ板は開かない。よって、カード偽造によるシャッタ板の不正な開放を極めて困難にすることができる。
【００１７】
【発明の実施の形態】
以下、本発明の構成を図面に示す実施の形態の一例に基づいて詳細に説明する。図１〜図３に本発明のカードリーダ１の一実施形態を示す。このカードリーダ１は、カード挿入口であるゲート部２に挿入されたカード３に応じてカード走行路に開閉自在に設けたシャッタ板４を開位置とし、カード３をカード搬送手段５によりシャッタ板４より内部に取り込み可能に構成して成るものである。また、このカードリーダ１は、カード３のデータを読み取るだけでなく、カード３にデータを書き込むこともできるものとしている。
【００１８】
ゲート部２のシャッタ板４より前側には、非接触式ＩＣカード３に設けたカード側送受信用アンテナ部（図示せず）に対してデータの送受信が可能なリーダ側送受信用アンテナ部６が設けられている。そして、非接触式ＩＣカード３がゲート部２に挿入されたときは、挿入された位置でカード側送受信用アンテナ部とリーダ側送受信用アンテナ部６とのデータの送受信を行うようにしている。ここで、カードリーダ１の待機時に、リーダ側送受信用アンテナ部６に通電しておくようにする。これにより、非接触式ＩＣカード３がゲート部２に挿入されたときに、カード３とデータの送受信を行うことによりカード３の挿入を検出することができる。また、リーダ側送受信用アンテナ部６は、例えばゲート部２とモールド一体形成する。これにより、組立性を向上することができる。但し、リーダ側送受信用アンテナ部６の組付けは、ゲート部２とモールド一体形成することに限られないのは勿論である。
【００１９】
そして、ゲート部２のシャッタ板４より前側には、接触式ＩＣカード３に設けたＩＣ端子部（図示せず）と接触可能なＩＣ接点部７が設けられている。接触式ＩＣカード３がゲート部２に挿入されたときは、挿入された位置でカード３のＩＣ端子部とＩＣ接点部７とを接触させてデータの送受信を行うようにしている。ここで、ＩＣ接点部７は、カード３のゲート部２への挿入によりカード３に近付いて接触するように設けられている。この機構としては、カード３の端面の押圧力を利用した簡易なもので良い。これにより、接触式ＩＣカード３がゲート部２に挿入されたときに、カード３とデータの送受信を行うことによりカード３の挿入を検出することができる。
【００２０】
さらに、ゲート部２での走行路長は、カード３の全長よりも短く設定している。このため、使用者はカード３をゲート部に挿入したときに、掴んだままでシャッタ板４に突き当ててデータの送受信を行うことができる。
【００２１】
また、カード３の内部回路である内部ＩＣは、例えば当該カード３が磁気ストライプを有しているか、あるいは磁気ストライプを有していればその処理を行う必要があるか等の情報をカードリーダ１に送信する。カードリーダ１は、この情報に基づいてシャッタ板４を開放するか否かの判断を行う。
【００２２】
カード搬送手段５は、カード３を載置して搬送するベルト８と、該ベルト８を循環可能に支持するローラ９と、ローラ９を回転させるモータ１０とを備えている。そして、モータ１０を駆動してベルト８を循環させることにより、カード３を搬送することができる。
【００２３】
さらに、カードリーダ１のシャッタ板４の内側には、カード３の磁気ストライプとデータの送受信が可能な磁気ヘッド１１が設けられている。この磁気ヘッド１１は、シャッタ板４の内側に取り込まれてカード搬送手段５により搬送されるカード３の磁気ストライプとデータを送受信を行う。
【００２４】
上述したカードリーダ１の動作を図４に示すフローチャートに沿って説明する。
【００２５】
カード３の挿入を待機するときは、図１に示すようにシャッタ板４を閉じている。そして、ゲート部２にカード３が挿入されると（ステップ１）、リーダ側送受信用アンテナ部６からのデータの送信を受けると共に、ＩＣ接点部７のカード３への接触によりデータの送信を受ける（ステップ２）。
【００２６】
そして、このカード３がカード側送受信用アンテナ部を有するものであれば、リーダ側送受信用アンテナ部６からのデータの送信に応答して、カードリーダ１とカード３との間でデータの送受信を行うことができる。また、このカード３がＩＣ端子部を有するものであれば、ＩＣ接点部７からのデータの送信に応答して、カードリーダ１とカード３との間でデータの送受信を行うことができる（ステップ３）。
【００２７】
ここで、カードリーダ１とカード３との間での送受信の処理結果から、カード３は磁気ストライプを有さず、カードリーダ１の内部にカード３を取り込む必要が無いと判断した場合や、磁気ストライプを有していてもカード３を取り込んで処理する必要が無いと判断した場合は（ステップ４；Ｎｏ）、シャッタ板４を開かない。これにより、カード３はカードリーダ１に取り込まれることなく、ゲート部２の中でリーダ側送受信用アンテナ部６またはＩＣ接点部７とデータの送受信を行う。すなわち、この場合はカード３をカード搬送手段５により搬送することがないので、使用者がカード３を持ったままデータの送受信を行うマニュアルリーダとして作動することになる。これにより、シャッタ板４を開放してカード３を内部に取り込む必要が無いので、データの送受信処理の時間を短縮することができる。
【００２８】
これに対し、カードリーダ１とカード３との間での送受信の処理結果から、カード３は磁気ストライプを有していると共に、カードリーダ１の内部にカード３を取り込んで処理する必要が有ると判断した場合は（ステップ４；Ｙｅｓ）、シャッタ板４を開く（ステップ５）。そして、図２に示すように、カード搬送手段５が作動してカード３を内部に取り込む（ステップ６）。さらに、図３に示すように、カード３の取り込み後にシャッタ板４を閉じてセキュリティを確保する（ステップ７）。
【００２９】
カードリーダ１の内部では、カード３の磁気ストライプに対して磁気ヘッド１１がデータの送受信を行う（ステップ８）。この処理が終了するとシャッタ板４を開けて（ステップ９）、カード搬送手段５によりカード３を排出する（ステップ１０）。
【００３０】
本実施形態によれば、カードリーダ１はリーダ側送受信用アンテナ部６とＩＣ接点部７と磁気ヘッド１１とを有しているので、送受信用アンテナ部とＩＣ端子部と磁気ストライプとを有するハイブリッドカード３について全てのデータ送受信方式でデータの送受信を行うことができる。
【００３１】
なお、上述の実施形態は本発明の好適な実施の一例ではあるがこれに限定されるものではなく本発明の要旨を逸脱しない範囲において種々変形実施可能である。例えば上述した実施形態ではシャッタ板４の外側にリーダ側送受信用アンテナ部６及びＩＣ接点部７を設置しているが、これには限られずシャッタ板４の外側にはリーダ側送受信用アンテナ部６及びＩＣ接点部７の少なくとも一方が設置されていれば良い。例えば、シャッタ板４の外側にリーダ側送受信用アンテナ部６のみを設置した場合は、カード側送受信用アンテナ部を有するカード３のデータ部２への挿入を検知してシャッタ板４を開けるか否かの判断を行う。そして、カード３を取り込んで処理する必要が無いと判断した場合は、カード３の取り込み処理を省略してデータの送受信処理の時間を短縮することができる。
【００３２】
また、上述した実施形態ではゲート部２での走行路長をカード３の全長よりも短く設定して使用者がカード３を持ったままデータの送受信を行うことができるようにしているが、これには限られずゲート部２での走行路長をカード３の全長よりも長く設定してゲート部２に挿入されたカード３をシャッタ板４の手前までカード搬送手段により搬送するようにして、シャッタ板４を開かないときも使用者の手を離れるようにしても良い。この場合も、カード３を取り込んで処理する必要が無いと判断した場合は、シャッタ板４の開放動作を省略してデータの送受信処理の時間を短縮することができる。
【００３３】
さらに、上述した実施形態ではカードリーダ１をデータの読み取り及び書き込みの両機能を有するものとしているが、これには限られずデータの読み取り専用のカードリーダとしても良い。この場合も、カード３を取り込んで処理する必要が無いと判断した場合は、カード３の取り込み処理を省略してデータの送受信処理の時間を短縮することができる。
【００３４】
【発明の効果】
以上の説明より明らかなように、請求項１記載のカードリーダによれば、挿入されたカードが非接触式ＩＣカードであると検出されたときはそのままデータの送受信を行うことができるので、シャッタ板を開放してカードを内部に取り込む必要が無い。このため、データの送受信に必要な処理時間を短縮することができる。しかも、シャッタ板を開かずにカード処理を行うことができるので、カードリーダ内部への塵埃の侵入を防止すると共に、セキュリティ性を向上できる。
【００３５】
また、リーダ側送受信用アンテナ部がデータを受信することにより非接触式ＩＣカードの存在を検出できるので、リーダ側送受信用アンテナ部がカード検出用のセンサを兼ねることになりカード検出専用の磁気ヘッド等の高価なセンサを設ける必要が無い。このため、カードリーダ全体のコストを低減することができる。
【００３６】
さらに、請求項３記載のカードリーダによれば、挿入されたカードが接触式ＩＣカードであると検出されたときはそのままデータの送受信を行うことができるので、シャッタ板を開放してカードを内部に取り込む必要が無い。このため、データの送受信に必要な処理時間を短縮することができる。しかも、シャッタ板を開かずにカード処理を行うことができるので、カードリーダ内部への塵埃の侵入を防止すると共に、セキュリティ性を向上できる。
【００３７】
また、ＩＣ接点部がデータを受信することにより接触式ＩＣカードの存在を検出できるので、ＩＣ接点部がカード検出用のセンサを兼ねることになりカード検出専用の磁気ヘッド等の高価なセンサを設ける必要が無い。このため、カードリーダ全体のコストを低減することができる。
【００３８】
そして、請求項２記載のカードリーダによれば、カードが非接触式ＩＣカードであるか否か、及び接触式ＩＣカードであるか否かを検出することができる。
【００３９】
また、請求項４記載のカードリーダによれば、カードがＩＣを有していなければカードリーダ側でのデータの受信が無くシャッタ板は開かないので、カード偽造によるシャッタ板の不正な開放を極めて困難にすることができる。このため、カードリーダのセキュリティ性を向上することができる。
【図面の簡単な説明】
【図１】本発明のカードリーダのゲート部にカードを挿入した状態を示す側面図である。
【図２】カードリーダのシャッタ板が開いてカードを取り込む状態を示す側面図である。
【図３】カードリーダの内部にカードを取り込んだ状態を示す側面図である。
【図４】カードリーダによるカードのデータ送受信の処理手順を示すフローチャートである。
【符号の説明】
１  カードリーダ
２  ゲート部（カード挿入口）
３  カード
４  シャッタ板
５  カード搬送手段
６  リーダ側送受信用アンテナ部
７  ＩＣ接点部
【図１】
0003631623.tif 000002
【図２】
0003631623.tif 000003
【図３】
0003631623.tif 000004
【図４】
0003631623.tif 000005